(57)【要約】  表示装置（２）が装着される動物（１）の位置を特定し、且つ／又は動物（１）に関する情報を表示する方法において、表示装置（２）内、且つ／又は表示装置（２）上でディスプレイを起動且つ／又は設定することができる。
2019509765.tif 000002
【特許請求の範囲】
【請求項１】
表示装置が配置される動物の位置を特定し、且つ／又は前記動物に関する情報を表示する方法であって、
表示される前記情報が、前記表示装置（２、２ａ）内で、且つ／又は前記表示装置（２、２ａ）上で起動可能、且つ／又は調整可能であること
を特徴とする、方法。
【請求項２】
前記調整可能な情報が光学的情報又は視認情報、とりわけ識別情報であることを特徴とする、請求項１に記載の方法。
【請求項３】
適切な拡張現実装置のディスプレイにおいて表示される前記情報が、その空間的近傍における、該当する前記動物（１）のライブ映像の画像に含まれていることを特徴とする、請求項１又は請求項２に記載の方法。
【請求項４】
前記拡張現実装置が、前記動物自体若しくは前記動物に装着されたタグの光学的特徴を画像認識することによって、又は前記表示装置（２、２ａ）のはっきりとした点滅コード若しくは色コードによって、或いは適切なセンサによって受信した前記動物の位置情報によって、視野内の該当する前記動物を検出することを特徴とする、請求項３に記載の方法。
【請求項５】
前記情報を送信される信号によって設定していることを特徴とする、請求項１〜請求項４の少なくとも一項に記載の方法。
【請求項６】
前記情報の視認性を、送信される信号によって制御していることを特徴とする、請求項１〜請求項５の少なくとも一項に記載の方法。
【請求項７】
前記調整可能な情報が、前記動物に割り当てられる動物番号又は別の識別子であることを特徴とする、請求項１〜請求項６の少なくとも一項に記載の方法。
【請求項８】
前記調整可能な情報が、個々の点滅頻度及び／又は色付けを有する光信号であることを特徴とする、請求項１〜請求項７の少なくとも一項に記載の方法。
【請求項９】
確認応答を、前記表示装置（２、２ａ）上で手動で起動することによって、上位システムに送信していることを特徴とする、請求項１〜請求項８の少なくとも一項に記載の方法。
【請求項１０】
前記動物（１）の選定を行うか、又は作業フローを実施していることを特徴とする、請求項１〜請求項９の少なくとも一項に記載の方法。
【請求項１１】
前記動物（１）の挙動を、前記表示装置（２、２ａ）内、且つ／又は前記表示装置（２、２ａ）上の適切なセンサによって検出していることを特徴とする、請求項１〜請求項１０の少なくとも一項に記載の方法。
【請求項１２】
前記動物（１）の状態を、前記表示装置（２、２ａ）内、且つ／又は前記表示装置（２、２ａ）上の適切なセンサによって判定していることを特徴とする、請求項１１に記載の方法。
【請求項１３】
前記動物（１）の現在の活動を前記表示装置（２、２ａ）内、且つ／又は前記表示装置（２、２ａ）上の適切なセンサによって検出し、したがって健康状態、給餌摂取量又は給水摂取量、或いは前記動物（１）が発情期にあるかどうかなどを推測していることを特徴とする、請求項１１又は請求項１２に記載の方法。
【請求項１４】
小屋における前記動物の位置を、適切なセンサによって判定していることを特徴とする、請求項１〜請求項１３の少なくとも一項に記載の方法。
【請求項１５】
前記表示装置（２、２ａ）のセンサデータが上位システムに送信されていることを特徴とする、請求項１〜請求項１４の少なくとも一項に記載の方法。
【請求項１６】
前記信号がミニコンピュータ、具体的にはスマートフォン又はタブレットから前記表示装置（２、２ａ）に直接的又は間接的に送信されていることを特徴とする、請求項１〜請求項１５の少なくとも一項に記載の方法。
【請求項１７】
前記表示装置（２、２ａ）にＲＦＩＤトランスポンダが追加装備されていることを特徴とする、請求項１〜請求項１６の少なくとも一項に記載の方法。
【請求項１８】
前記表示装置（２、２ａ）が、前記体上又は前記体内に装着されたセンサと通信していることを特徴とする、請求項１〜請求項１７の少なくとも一項に記載の方法。
【請求項１９】
前記表示装置（２、２ａ）がデータをバッファリングし、且つ／又は前記データを上位システムに送信していることを特徴とする、請求項１〜請求項１８の少なくとも一項に記載の方法。
【請求項２０】
信号を、前記表示装置（２、２ａ）上の適切なアクチュエータによって前記動物に対して出力していることを特徴とする、請求項１〜請求項１９の少なくとも一項に記載の方法。
【請求項２１】
前記アクチュエータが光信号、音響信号、及び／又は振動に相当する機械的信号を生成していることを特徴とする、請求項２０に記載の方法。
【請求項２２】
表示装置（２、２ａ）が配置される動物の位置を特定し、且つ／又は前記動物に関する情報を表示する装置であって、起動可能且つ／又は調整可能なディスプレイが前記表示装置（２、２ａ）内、且つ／又は前記表示装置（２、２ａ）上に設けられていることを特徴とする、装置。
【請求項２３】
コード化スイッチによって調整可能な情報を、前記表示装置（２、２ａ）内、且つ／又は前記表示装置（２、２ａ）上に提供していることを特徴とする、請求項２２に記載の装置。
【請求項２４】
信号を送信することによって調整可能な識別情報を、前記表示装置（２、２ａ）内、且つ／又は前記表示装置（２、２ａ）上に提供していることを特徴とする、請求項２２又は請求項２３に記載の装置。
【請求項２５】
ＲＦＩＤトランスポンダを前記表示装置（２、２ａ）内、且つ／又は前記表示装置（２、２ａ）上に設けていることを特徴とする、請求項２２〜請求項２４の少なくとも一項に記載の装置。
【請求項２６】
前記表示装置（２、２ａ）内、且つ／又は前記表示装置（２、２ａ）上に視認可能な番号が付されていることを特徴とする、請求項２２〜請求項２５の少なくとも一項に記載の装置。
【請求項２７】
具体的にはその動物が運動することによってエネルギー供給手段を充電する、環境発電のための構成要素を前記表示装置（２、２ａ）内、且つ／又は前記表示装置（２、２ａ）上に設けていることを特徴とする、請求項２２〜請求項２６の少なくとも一項に記載の装置。
【請求項２８】
前記動物の運動、体温、小屋の温度、活動のタイプ、バッテリ容量、位置、姿勢などを測定するための適切なセンサを、前記表示装置（２、２ａ）内、且つ／又は前記表示装置（２、２ａ）上に設けていることを特徴とする、請求項２２〜請求項２７の少なくとも一項に記載の装置。
【請求項２９】
押しボタンキーなどを前記表示装置（２、２ａ）内、且つ／又は前記表示装置（２，２ａ）上に設けていることを特徴とする、請求項２２〜請求項２８の少なくとも一項に記載の装置。
【請求項３０】
前記光学的に知覚可能な構成要素（５、７）を、前記表示装置（２、２ａ）内、且つ／又は前記表示装置（２、２ａ）上に設けていることを特徴とする、請求項２２〜請求項２９の少なくとも一項に記載の装置。
【請求項３１】
前記光学的に知覚可能な構成要素（７）が、光バンド又は番号付き光ストリップを備えることを特徴とする、請求項２２〜請求項３０の少なくとも一項に記載の装置。
【請求項３２】
前記光学的に知覚可能な構成要素（７）が調整可能な色を有することを特徴とする、請求項２２〜請求項３１の少なくとも一項に記載の装置。
【請求項３３】
前記表示装置（２、２ａ）が、拡張現実装置によって知覚され得る点滅又は色などの個々のコードを表示していることを特徴とする、請求項２２〜請求項３２の少なくとも一項に記載の装置。
【請求項３４】
前記表示装置（２）が、前記動物の体の一部に巻き付けられたバンド上に配置されていることを特徴とする、請求項２２〜請求項３３の少なくとも一項に記載の装置。
【請求項３５】
前記表示装置（２、２ａ）が前記体に装着されたセンサと通信していることを特徴とする、請求項２２〜請求項３４の少なくとも一項に記載の装置。
【請求項３６】
前記表示装置（２、２ａ）がデータをバッファリングし、且つ／又は前記データを上位システムに送信していることを特徴とする、請求項２２〜請求項３５の少なくとも一項に記載の装置。
【請求項３７】
前記バンドが首輪（３）として構成されていることを特徴とする、請求項２２〜請求項３６の少なくとも一項に記載の装置。
【請求項３８】
前記表示装置（２）にカウンタウェイト（８）を割り当てていることを特徴とする、請求項２２〜請求項３７の少なくとも一項に記載の装置。
【請求項３９】
前記表示装置（２ａ）を前記耳に装着していることを特徴とする、請求項１〜請求項３８の少なくとも一項に記載の装置。
【請求項４０】
ランプ又はＬＥＤ（１１）を前記ディスプレイに組み込んでいることを特徴とする、請求項３９に記載の装置。
【請求項４１】
前記表示装置（２ａ）を、前記耳を突き抜けているスパイク（１４）によって前記耳に固定しており、前記スパイク（１４）が、前記表示装置の前部に装着されたランプ又はＬＥＤ（１１）が発する光を、具体的には前記耳の反対側へと導くことができることを特徴とする、請求項３９又は請求項４０に記載の装置。
【発明の詳細な説明】
【技術分野】
【０００１】
本発明は、表示装置が配置される動物の位置を特定し、且つ／又はその動物に関する情報を表示する方法に関する。
【背景技術】
【０００２】
耳タグ又はその他のマイクロチップトランスポンダは、たとえばＲＦＩＤチップとも呼ばれているが、動物を識別することで知られている。しかしながら、動物、たとえば子牛を集団飼育するような場合には、動物の頭数を確認するために、その動物を、たとえば容易に認識できるような方法でしっかりとモニタリングすることが常に重要である。数字の付いた首輪を例とする従来の単純なシステムでは、特定の視野角から、又は適切な照明条件下である程度よく認識できているに過ぎない。とりわけ個々の動物を追跡している場合、たとえば自動給餌器などの給餌システムは前記動物が相当数いることを示すため、動物の大群においては、発病した動物又は複数の動物を迅速に見つけ出すことが困難となる。マイクロチップでさえ、ここではほとんど役に立たない。動物の群れについて判定する際に、たとえばこれらの健康指数、給餌摂取量、又は運動データなどの、その動物を評価するための重要なデータを容易且つ迅速に表示することは、以前は等しく不可能であった。これまでユーザは、たとえば印刷物やリストなどに頼らざるを得なく、しかもこれらにはその動物の空間的関連性が記載されていなかった。
【０００３】
一例として、特許文献１では、たとえば牛などの動物の活動度を測定する方法及び装置を提示しており、ここでの第一の目的は、その動物が発情期にある（交配の準備が整っている）期間を確実且つ自動的に認識することであり、この期間は付加的な活動によって特徴付けられている。
【先行技術文献】
【特許文献】
【０００４】
【特許文献１】独国特許出願公開第６９５０１４４６号明細書
【発明の概要】
【発明が解決しようとする課題】
【０００５】
本発明によって対処される課題は動物、とりわけある動物の大群に対して、より簡便に、より詳細に、且つより柔軟に識別と管理とを行うことである。識別情報に加えて、たとえばコンピュータ制御給餌システムからも、さらに別の情報を表示することができるようになっている。ここで目的としているのは、動物管理を支援するものとしてユーザに提供することが意図された、その動物に関する情報を直接取得することでもある。
【課題を解決するための手段】
【０００６】
この課題は、表示装置を使用してその動物に表示され、起動可能、且つ／又は調整可能である情報を、その動物に表示することによって解決される。
【０００７】
表示される情報を、センサを使用して、且つ／又は上位の動物管理システムから送信することによって、表示装置に取得させることができる。
【０００８】
したがって、本発明による表示装置は、一方では起動し、或いは、たとえば動物の頭数などの識別表示を調整できるという機能を、両方とも実行することができる。もちろん、両方とも本発明の範囲内にあることが好ましい。
【０００９】
本発明の１つの例示的な実施形態では、表示装置は、たとえば簡素な光学ディスプレイを有する。これは同等のランプなどであってもよい。たとえばユーザが該当する動物を追跡している場合、対応する電子装置により、たとえば無線により、動物の群れに対して信号を入力し、ここで、この信号は特定の動物の表示装置に送信され、この表示装置のみが当該ランプを点灯させるようにしている。したがって、ユーザはその動物がどの位置にいるのかを認識する。
【００１０】
たとえば、ユーザが事前に割り当てを行った複数の動物に対しても同様に起動することができ、その結果、ユーザは正しい動物が指定されたかどうかも認識することができる。
【００１１】
また、本発明の範囲は、ユーザが送信する情報が対応する信号によって変更されることも含むものとする。たとえば、動物の頭数をこのようにして変更することができる。しかしながら、とりわけその動物が比較的小さい群れに属する場合、表示装置を手動で起動することも考慮しており、前記起動により、たとえばその動物の識別に変化が生じる。動物の頭数は、表示装置上のディップスイッチなどによって、或いはＮＦＣなどの近距離無線によって設定することができる。
【００１２】
この動物の頭数を、たとえばすべての視野方向から認識することができるように、１つの例示的な実施形態では、表示装置は番号付き光ストリップなどを有する。
【００１３】
さらに、少なくとも１つの送信部と、１つの受信部と、表示可能部と、対応する電源とを含む、対応する電子部品を表示装置に割り当てることになる。
【００１４】
ここで、ディスプレイの視認性が確保されると思われるので、表示装置を首輪に装着することが好ましい。しかしながら、本発明はこれに限定されるものではなく、体の他の部位に配置することも考えられる。また、首輪の左側と右側とにディスプレイを提示すると都合が良い可能性がある。表示装置を弾性首輪に固定接続することができ、したがって当該動物に容易に装着することができる。たとえば首に配置する場合には、当然ながら表示装置にカウンタウェイトを割り当てることも可能であり、このカウンタウェイトは、表示装置が常時首周りにはっきりと視認できるように配置されることを徹底するように意図されている。絆創膏と同様に、表示装置を当該動物に接着形式で装着することも可能である。
【００１５】
さらに、耳タグと同等の方法で、表示装置を耳の内側及び／又は外側に装着することも考慮している。ここでの利点は、たとえばその動物が依然として成長過程にある場合、当該動物の所有者が、首輪の場合に必要となり得る再調節を行う必要がないことである。
【００１６】
動物の頭数だけでなく、たとえば給餌摂取量又は給水摂取量の割合も、ユーザの要求に応じて表示することを考慮している。その結果、動物の検査中に、ユーザはその動物の飼料状態を迅速に判定するか、又はその状態をとりわけ健康状態の指標として認識することができる。この場合、ユーザは、給餌摂取量又は給水摂取量の割合が低いことを示す動物に対して、特に注意を払うことになる。或いはここで、ある閾値を下回る動物のみを表示することも可能である。これらのデータ項目は、たとえばコンピュータ制御自動給餌器から直接的又は間接的に届き、この自動給餌器は、その動物の給餌摂取量を認識しており、最大許容量内となる割合でこれらを分布している。この自動給餌器又は表示装置のセンサシステムのいずれかによって判定される、他の値を表示することも可能である。これらの例としては、授乳量、年齢、入牧月日、堕胎状況、繁殖供用残存期間、飼育状況、健康指数、運動データが挙げられる。
【００１７】
電子表示装置用のディスプレイは、省電力の電子ペーパーディスプレイとすることができる。
【００１８】
また、この情報を数値的に表示するのではなく、たとえばランプと同様に、色識別によって表示することも考慮している。調整可能な色をランプに表示することができ、或いは首輪全体の基本的な配色を変更することもできる。給餌摂取量について、ここで緑色は８０％以上、黄色は５０％〜８０％、そして赤色は５０％を下回る割合を表している。ほぼ無限に調整可能な色のグラデーションについても考慮している。この目的のために、弾性又は非弾性の光ガイドであって、調整可能なＲＧＢ−ＬＥＤで点灯され、したがって比較的大きな視認領域を生成する、光ガイドを表示装置に装着することも可能である。
【００１９】
耳タグの形態を有する例示的な実施形態では、ユーザが最も容易に認識できるように徹底するために、表示ランプを耳タグの中央に配置してもよい。この場合、透明又は半透明の材料製の耳タグスパイクと呼ばれるものを装備する手段もあり、この耳タグスパイクは、通常耳を通って引き出され、且つ前記耳タグを固定するために、耳タグそのものに係合されている。次いで、表示装置の主ランプ若しくはＬＥＤ、又は補助ランプ若しくはＬＥＤを、ランプによって発せられた光が耳タグスパイクに入光され、且つすべての面において、たとえ耳タグスパイクの平坦端面であっても知覚されるように配置する。本例では、表示装置を耳の内側に装着しており、また表示ランプも、たとえば色又は点滅頻度が調整できる状態でそこに配置している。光ガイド式耳タグスパイクを使用することにより、耳の外側で同時にディスプレイを見ることも可能である。これは、観察者が当該動物の後ろに立っている場合か、又は動物がユーザから顔を背けている場合にとりわけ有用である。
【００２０】
ディスプレイの光強度は、たとえば日射強度が高い場合であっても良好な視認性を達成し、その一方で、たとえば周囲光が不十分な場合には電流消費を節約するために可変であってもよい。この理由のために、ユーザが所望の光強度を設定できるようにすること、又はこれが自動的に、たとえば表示装置において、又は小屋の中心位置で、たとえば光強度センサによって行われるようにすることも考慮している。
【００２１】
本発明の１つの好ましい例示的な実施形態ではまた、センサシステムを表示装置に組み込むことになる。たとえば、このセンサシステムを使用して、３つの軸における加速度を検出している。たとえば、表示装置をある動物の首周りの首輪上に配置している場合、センサシステムはこの首の動きと動物の動きとを検出するように意図されている。総合的に、その動物の健康状態と福祉状態とを加速度センサによって判定することができる。たとえば寝る、走る、食べる、飲むなどの特徴的な運動プロファイルによって、現在の動態を検出する手段もある。たとえば嚥下運動など、その運動を正確に分析することによって、記録された給水摂取量、給乳摂取量、又は給餌摂取量について判定することが可能となる。さらに、位置を判定するためにマイクロフォン、温度センサ、ステップカウンタ、又は歩行距離三角測量を確認するためのセンサシステムを組み込むことを考慮している。
【００２２】
また、たとえばルーメン内のボーラスなど、その動物に装着された他のセンサと表示装置とが通信できるようにすることも考慮している。
【００２３】
組み込まれたセンサの値は、表示装置内で直接、又は上位システムに完全に送信されて、処理又は一部事前処理される。このセンサデータは、好ましくは無線で送信され、ユーザに表示されるか、且つ／又は後で評価するためにクラウドメモリなどに記憶される。ユーザが自身で判定する値と組み合わせた当該動物のより良好な画像をユーザに提供できるように、これらのセンサデータ項目を接続した自動給餌器に表示することも考慮している。
【００２４】
とりわけ、以下の項目をセンサシステムを使用して判定することができる。
−その動物の活動をその「健康」の指標として検出することと、
−食べる、飲む、反すうするなどの活動を示すセンサ信号を検出し、これによって個々の活動の時間、又は食事や飲水時の摂取量を同時に検出することと、
−その動物が発情期にあることを示す評価パターンを検出することと、
−咳などの発病を示すセンサ信号を検出することと、
−位置検出プロセスによって、その動物の現在位置をユーザに直接示すことが可能となること。これに関連して、特定の「場所」にその動物が存在していることによって、給餌地点及び給水地点にその動物が存在する時間とその摂取量とを推測することも可能である。位置情報を統合することによってその移動距離を推測することも可能であり、これはとりわけ、それ以前の数日間と比較して、或いはその動物が発情期にある状態と比較して変化が生じている点で発病を示すものであり、
−遠隔信号若しくは押しボタンキー、又はたとえば磁石によって、直接表示装置上で操作されるホールセンサなど、ユーザが直接起動する他の何らかのセンサを使用して、たとえば治療又は後続の治療を遂行したことを示す「完了メッセージ」を、その動物に対して直接起動することが可能となること。
【００２５】
本発明によれば、事前にその動物の治療リストを作成してからこれを検索し、且つ実施できるようにすることも考慮している。
【００２６】
たとえば動物を選定するために識別することを目的として、一例として特定のディスプレイをある動物に割り当てるなど、該当する動物のみを表示することが可能である。その動物をその場で治療した後、表示装置上の前述の押しボタンキーを使用して、ユーザが確認応答できるようにすることができる。これに応じて、治療のためのディスプレイをこの動物に関しては消画することができる。
【００２７】
本発明による方法を、所望且つ既知の任意の電子装置を使用して、具体的には対応するコンピュータ、ラップトップ、タブレット又はスマートフォンを使用して実施することができるが、表示装置に接続される既知の自動給餌器を使用して、たとえば無線で、且つ必要に応じてユーザが取得するデータによって、制御を行うこともできる。
【００２８】
ユーザとユーザ所有のスマートフォン、又は永久的に設置されたオペレータ制御ユニットとの通信を、一方では最新のスマートフォンと、たとえばＷＬＡＮを介して通信し、他方ではｓｕｂ−ＧＨｚ帯でその動物に設置された本発明の表示装置と通信するゲートウェイを介して、間接的に実施することもできる。このゲートウェイをインターネットに組み込むこともできる。したがって、データがクラウドアプリケーションで容易に利用できるようになり、且つ／又はそこからデータを取得することができる。
【００２９】
本発明の１つの特定の例示的な実施形態では、首輪又は表示装置に環境発電システムを設置することも考慮しており、これは、たとえばバッテリなどの対応するエネルギー供給手段が、その動物が動くことによって再充電されることを意味する。
【００３０】
表示装置は、さらにＲＦＩＤトランスポンダを有することができ、これは動物分野では日常的なものであり、たとえばその制限範囲のために、自動給餌ステーションでのみ認識されるものとなる。したがって、対応するディスプレイを備える表示装置は、動物の全頭数に対する管理、とりわけ給餌システムにデータを送信するためのＲＦＩＤトランスポンダに対する管理の責任を負う。ＲＦＩＤトランスポンダを表示装置に組み込むことも考えられる。
【００３１】
本発明によれば、事前にその動物の治療リストを作成してからこれを検索し、且つ実施できるようにすることも考慮している。たとえば動物を選定するために識別することを目的として、一例として特定のディスプレイをある動物に割り当てるなど、該当する動物のみを表示することが可能である。その動物をその場で治療した後、表示装置上の前述の押しボタンキーを使用して、ユーザが確認応答できるようにすることができる。これに応じて、治療のためのディスプレイをこの動物に関しては消画することができる。
【００３２】
さらに別の実施形態では、いわゆる「拡張現実」と呼ばれるものから得られるリソースと連動させて、同じ表示機能を実現することを考慮している。たとえば、ユーザはスマートフォン及びそのリアビューカメラによって動物の群れを撮影し、これをディスプレイで見ることができる。当該動物がそこにライブ映像として表示され、それと同時に、たとえばそれらの頭上に、その動物の頭数、リットル単位の給餌摂取量、入牧月日などの確認したい情報と共に、その動物に関するコンピュータ生成テキストが表示される。スマートフォンを手に持って使用する代わりに、たとえばＧｏｏｇｌｅ  Ｇｌａｓｓ又はＭｉｃｒｏｓｏｆｔ  ＨｏｌｏＬｅｎｓなどの、いわゆるデータグラスと呼ばれるものを使用することも考慮している。個々の動物に関する情報は、ここではクラウド又は自動給餌器などの中央の場所から取得される。
【００３３】
上述した「拡張現実」を機能させるためには、当該動物をいわばリアルタイムで認識して、これにより、そのデータをディスプレイ上でこれらの動物に割り当てられるようにすることが必要となる。この認識は、大きさ、肌の色などの動物の個々の特徴を、又は装着された耳タグ若しくは首輪などの識別装置の個々の特徴を画像認識することによって、達成することができる。本発明による首輪、又は当該動物に設置される表示装置との併用もまた考えられる。ここで、各動物における表示装置は、拡張現実装置によって容易に認識される個々のコードを出力する。これは、たとえばランプにおいてコードが点滅するか、又はランプ若しくは首輪全体において特定の色付けが点灯する形態となる。したがって、同時に複数の動物を容易に検出することが可能となる一方で、ユーザには拡張現実を介して各動物に関するさらなる情報が提供される。
【００３４】
或いは、本発明による表示装置は動物に装着されるが、ここで各動物の小屋における位置を正確に判定するために、センサを（直接的又は間接的に）装着することを考慮している。拡張現実装置は、それ自体の位置を検出することにより、その小屋に対するそれ自体の「視野方向」を認識しており、それらの既知の位置に基づいて動物の情報をディスプレイに表示することができる。本例では表示装置の表示機能を拡張現実装置をサポートすることに限定していたとしても、有利には、表示装置に存在する他のセンサが動物管理又は健康管理を効果的に実施し、これらの値を、前記値が無線によって前記装置に、又は間接的に上位システムに送信された後に、拡張現実装置に表示することになる。
【００３５】
さらに別の実施形態では、一例として、新たな給餌量を摂取できる状態になっているなどの情報を、動物自体に提供できるようにすることを考慮している。この目的のために、たとえば本発明による表示装置に無線で信号を送信することができる。そこでは、その動物が訓練を受けた光学的、音響的又は機械的信号が出力される。機械的信号は、たとえば表示装置に組み込まれる振動モータとすることができる。
【００３６】
本発明のさらなる利点、特徴及び詳細は、好ましい例示的な実施形態の以下の記載において、且つ図面を参照することで見出すことができる。
【図面の簡単な説明】
【００３７】
【図１】本発明による装置を使用位置において有する、ある動物の側面図を示す。
【図２】本発明による、動物の位置を特定する装置に関する例示的な実施形態の斜視図を示す。
【図３】本発明による表示装置に関するさらに別の例示的な実施形態の斜視図を示す。
【発明を実施するための形態】
【００３８】
図１によれば、好ましい例示的な本実施形態では牛とされる動物１は、前記動物１の位置を特定又は識別するための表示装置２を備える首輪３を着用している状態で示されている。首輪３は、好ましくは動物１の首４の周りに固定されている。
【００３９】
表示装置２は、たとえばユーザがスマートフォンを操作することによって起動されると、表示装置２上のランプ５及び／又は数値ディスプレイ７が点灯することにより、個々の動物を一時的又は継続的に識別するように意図されている。この目的のために、表示装置２を無線リンクを介してユーザに直接的又は間接的に接続するべきである。したがって、表示装置２は、電源を有する電子部と、無線部と、表示設備とを有する。ランプ５及び数値ディスプレイ７は、エネルギー的に経済的となるように、ＬＥＤを装備することが好ましい。
【００４０】
さらに、その動物の運動及び健康状態を検出する種々のセンサ、その動物を検出するためのＲＦＩＤチップ、及びユーザがモニタリングできる上位システム（より詳細に示していない）にすべてのデータを送信する送信ユニットなどのいくつかの技術的構成要素を、表示装置２に組み込むことになる。コンピュータ又はスマートフォンは上位システムとして機能することができる。ＮＦＣチップ又は内部ＷＬＡＮは、信号を送信するように動作することができる。
【００４１】
したがって、ユーザは動物１のすべての活動について知ることになり、たとえば異常が発生した場合には信号を送信して、その動物の首輪３にあるランプ５を起動することができる。したがって、動物１を発見しやすくなる。
【００４２】
さらに、図２によれば、表示装置２が、とりわけ数値ディスプレイ７が同様に動物１の首４の上端に配置されるように、首輪３の表示装置２用にカウンタウェイト８を設けることを考慮している。
【００４３】
図３によれば、本発明の表示装置２ａのさらに別の例示的な実施形態は、耳タグとして構成されている。対応するハウジングには、色担体１２と相互作用して着色光を発する多数のダイオード１１を設けている。もちろん記号、数字、文字などの他の表示も照らすことができる。点滅頻度についても想定可能である。
【００４４】
ここで、スパイク１４と平坦端面１５とからなる耳タグスパイク１３を好ましくは透明プラスチックから製造していることが、とりわけ有利となる。表示装置２ａを、この耳タグスパイク１３により、その動物の耳をスパイク１４が突き抜け、且つハウジング１０と係合されるようにすることで動物の耳に固定している。したがって、たとえば特定の色を、ハウジング１０のみによってではなく、耳タグスパイク１３によっても発することができるので、この色を動物の耳の後方からでも認識できる。
【符号の説明】
【００４５】
１  動物
２  表示装置
３  首輪
４  首
５  ランプ
６
７  数値ディスプレイ
８  ウェイト
９
１０  ハウジング
１１  発光ダイオード
１２  色担体
１３  耳タグスパイク
１４  スパイク
１５  端面
【図１】
2019509765.tif 000003
【図２】
2019509765.tif 000004
【図３】
2019509765.tif 000005
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
表示装置が配置される動物の位置を特定し、且つ／又は前記動物に関する情報を表示する方法であって、
表示される前記情報が、前記表示装置（２）内で、且つ／又は前記表示装置（２）上で起動可能、且つ／又は調整可能であって、
選定のために動物を識別するために、動物に特定の表示装置が割り当てられることによって、該当する動物が表示され、前記表示装置（２）上の押しボタンキーが確認応答のためにユーザによって使用され、前記表示装置（２）にカウンタウェイト（８）が割り当てられることを特徴とする、方法。
【請求項２】
事前に作成された動物の治療リストが検索され、且つ実施されることを特徴とする、請求項１に記載の方法。
【請求項３】
前記調整可能な情報が光学的情報又は視認情報、とりわけ識別情報であることを特徴とする、請求項１に記載の方法。
【請求項４】
適切な拡張現実装置のディスプレイにおいて表示される前記情報が、その空間的近傍における、該当する前記動物（１）のライブ映像の画像に含まれていることを特徴とする、請求項１又は２に記載の方法。
【請求項５】
前記拡張現実装置が、前記動物自体若しくは前記動物に装着されたタグの光学的特徴を画像認識することによって、又は前記表示装置（２）のはっきりとした点滅コード若しくは色コードによって、或いは適切なセンサによって受信した前記動物の位置情報によって、視野内の該当する前記動物を検出することを特徴とする、請求項３に記載の方法。
【請求項６】
前記情報を送信される信号によって設定していることを特徴とする、請求項１〜５の少なくとも一項に記載の方法。
【請求項７】
前記情報の視認性を、送信される信号によって制御していることを特徴とする、請求項１〜６の少なくとも一項に記載の方法。
【請求項８】
前記調整可能な情報が、前記動物に割り当てられる動物番号又は別の識別子であることを特徴とする、請求項１〜７の少なくとも一項に記載の方法。
【請求項９】
前記調整可能な情報が、個々の点滅頻度及び／又は色付けを有する光信号であることを特徴とする、請求項１〜８の少なくとも一項に記載の方法。
【請求項１０】
確認応答を、前記表示装置（２）上で手動で起動することによって、上位システムに送信していることを特徴とする、請求項１〜９の少なくとも一項に記載の方法。
【請求項１１】
前記動物（１）の選定を行うか、又は作業フローを実施していることを特徴とする、請求項１〜１０の少なくとも一項に記載の方法。
【請求項１２】
前記動物（１）の挙動を、前記表示装置（２）内、且つ／又は前記表示装置（２）上の適切なセンサによって検出していることを特徴とする、請求項１〜１１の少なくとも一項に記載の方法。
【請求項１３】
前記動物（１）の状態を、前記表示装置（２）内、且つ／又は前記表示装置（２）上の適切なセンサによって判定していることを特徴とする、請求項１１に記載の方法。
【請求項１４】
前記動物（１）の現在の活動を前記表示装置（２）内、且つ／又は前記表示装置（２）上の適切なセンサによって検出し、したがって健康状態、給餌摂取量又は給水摂取量、或いは前記動物（１）が発情期にあるかどうかなどを推測していることを特徴とする、請求項１１又は１２に記載の方法。
【請求項１５】
小屋における前記動物の位置を、適切なセンサによって判定していることを特徴とする、請求項１〜１４の少なくとも一項に記載の方法。
【請求項１６】
前記表示装置（２）のセンサデータが上位システムに送信されていることを特徴とする、請求項１〜１５の少なくとも一項に記載の方法。
【請求項１７】
前記信号がミニコンピュータ、具体的にはスマートフォン又はタブレットから前記表示装置（２）に直接的又は間接的に送信されていることを特徴とする、請求項１〜１６の少なくとも一項に記載の方法。
【請求項１８】
前記表示装置（２）にＲＦＩＤトランスポンダが追加装備されていることを特徴とする、請求項１〜１７の少なくとも一項に記載の方法。
【請求項１９】
前記表示装置（２）が、前記体上又は前記体内に装着されたセンサと通信していることを特徴とする、請求項１〜１８の少なくとも一項に記載の方法。
【請求項２０】
前記表示装置（２）がデータをバッファリングし、且つ／又は前記データを上位システムに送信していることを特徴とする、請求項１〜１９の少なくとも一項に記載の方法。
【請求項２１】
信号を、前記表示装置（２）上の適切なアクチュエータによって前記動物に対して出力していることを特徴とする、請求項１〜２０の少なくとも一項に記載の方法。
【請求項２２】
前記アクチュエータが光信号、音響信号、及び／又は振動に相当する機械的信号を生成していることを特徴とする、請求項２１に記載の方法。
【請求項２３】
表示装置（２）が配置される動物の位置を特定し、且つ／又は前記動物に関する情報を表示する装置であって、起動可能且つ／又は調整可能なディスプレイが前記表示装置（２）内、且つ／又は前記表示装置（２）上に設けられ、
前記表示装置（２）にカウンタウェイト（８）が割り当てられていることを特徴とする、装置。
【請求項２４】
コード化スイッチによって調整可能な情報を、前記表示装置（２）内、且つ／又は前記表示装置（２）上に提供していることを特徴とする、請求項２３に記載の装置。
【請求項２５】
信号を送信することによって調整可能な識別情報を、前記表示装置（２）内、且つ／又は前記表示装置（２）上に提供していることを特徴とする、請求項２３又は２４に記載の装置。
【請求項２６】
ＲＦＩＤトランスポンダを前記表示装置（２）内、且つ／又は前記表示装置（２）上に設けていることを特徴とする、請求項２３〜２５の少なくとも一項に記載の装置。
【請求項２７】
前記表示装置（２）内、且つ／又は前記表示装置（２）上に視認可能な番号が付されていることを特徴とする、請求項２３〜２６の少なくとも一項に記載の装置。
【請求項２８】
具体的にはその動物が運動することによってエネルギー供給手段を充電する、環境発電のための構成要素を前記表示装置（２）内、且つ／又は前記表示装置（２）上に設けていることを特徴とする、請求項２３〜２７の少なくとも一項に記載の装置。
【請求項２９】
前記動物の運動、体温、小屋の温度、活動のタイプ、バッテリ容量、位置、姿勢などを測定するための適切なセンサを、前記表示装置（２）内、且つ／又は前記表示装置（２）上に設けていることを特徴とする、請求項２３〜２８の少なくとも一項に記載の装置。
【請求項３０】
押しボタンキーなどを前記表示装置（２）内、且つ／又は前記表示装置（２）上に設けていることを特徴とする、請求項２３〜２９の少なくとも一項に記載の装置。
【請求項３１】
前記光学的に知覚可能な構成要素（５、７）を、前記表示装置（２）内、且つ／又は前記表示装置（２）上に設けていることを特徴とする、請求項２３〜３０の少なくとも一項に記載の装置。
【請求項３２】
前記光学的に知覚可能な構成要素（７）が、光バンド又は番号付き光ストリップを備えることを特徴とする、請求項２３〜３１の少なくとも一項に記載の装置。
【請求項３３】
前記光学的に知覚可能な構成要素（７）が調整可能な色を有することを特徴とする、請求項２３〜３２の少なくとも一項に記載の装置。
【請求項３４】
前記表示装置（２）が、拡張現実装置によって知覚され得る点滅又は色などの個々のコードを表示していることを特徴とする、請求項２３〜３３の少なくとも一項に記載の装置。
【請求項３５】
前記表示装置（２）が、前記動物の体の一部に巻き付けられたバンド上に配置されていることを特徴とする、請求項２３〜３４の少なくとも一項に記載の装置。
【請求項３６】
前記表示装置（２）が前記体に装着されたセンサと通信していることを特徴とする、請求項２３〜３５の少なくとも一項に記載の装置。
【請求項３７】
前記表示装置（２）がデータをバッファリングし、且つ／又は前記データを上位システムに送信していることを特徴とする、請求項２３〜３６の少なくとも一項に記載の装置。
【請求項３８】
前記バンドが首輪（３）として構成されていることを特徴とする、請求項２３〜３７の少なくとも一項に記載の装置。
【手続補正２】
【補正対象書類名】明細書
【補正対象項目名】０００３
【補正方法】変更
【補正の内容】
【０００３】
一例として、特許文献１では、たとえば牛などの動物の活動度を測定する方法及び装置を提示しており、ここでの第一の目的は、その動物が発情期にある（交配の準備が整っている）期間を確実且つ自動的に認識することであり、この期間は付加的な活動によって特徴付けられている。
動物の生理学的状態を検出するためのセンサを開示する特許文献２がまた既知である。更に、家畜を局在化するためのシステムは、特許文献３から既知である。特許文献４は、たとえば体温測定を可能にする動物タグを開示する。特許文献５は、大きな群の動物の健康を監視するための温度検出システムを開示する。更に、特許文献６は、同様に、家畜の健康状態を監視するためのシステムを開示する。
【手続補正３】
【補正対象書類名】明細書
【補正対象項目名】０００４
【補正方法】変更
【補正の内容】
【０００４】
【特許文献１】独国特許出願公開第６９５０１４４６号明細書
【特許文献２】国際公開第２０１４／１８８２７３号
【特許文献３】国際公開第２０１５／１４５４２２号
【特許文献４】国際公開第２０１１／１５３５７１号
【特許文献５】米国特許出願公開第２００４／０２３３９７１号明細書
【特許文献６】米国特許出願公開第２０１５／０２８２４５７号明細書
【国際調査報告】
2019509765.tif 000006
2019509765.tif 000007
2019509765.tif 000008
2019509765.tif 000009
2019509765.tif 000010
2019509765.tif 000011